Podtech/llm-jp-corpus-v4-ja_patent huggingface dataset:
(57)【要約】      （修正有）【課題】釣上げた魚が釣針を奥深く呑み込んでいる時、又は硬い口を持つ魚に掛かって外す事が困難な状況で短時間に簡単に外す事ができる器具を提供する。【解決手段】ハリスを器具にセットしてハリスに沿い魚の口内に挿入し、器具を進めると容易にハリスと釣針の軸部分が先端孔に収まる。一度セットしたハリスは外せる位置に到達するまで器具から外れる事が無い。ハリスをグリップに装備された生ゴムと指の圧力で固定し、魚の口内の奥へ少し押し込む事により簡単に釣針を外す事ができる。【選択図】図１
0003112639.tif 000002
【実用新案登録請求の範囲】
【請求項１】
全形は操作するグリップの反対側に尖った先端を備えた１対の操作体が中間部で交差し、交差部分を軸としてグリップの開閉により挟持部が開閉するプライヤーである。
【請求項２】
挟持部の先端に閉じた状態でハリスと共に釣針の軸部分が収まる円形孔を持ち、挟持部の中間にはハリスを挿入する為に横から切り込みを入れた楕円孔がある。
【請求項３】
器具先端の円形孔から楕円孔にハリスを通す為の円筒形の導入路を持つ。円形孔及び導入路は挟持部を開いた時に上下共に半円の形状になる。
【請求項４】
グリップにはハリスを固定する為の生ゴムのグリップを装備する釣針外し器具。
【考案の詳細な説明】
【技術分野】
【０００１】
本考案は、釣上げた魚が釣針を奥深く呑み込んでいる時、又は硬い口を持つ魚に掛かって外す事が困難な釣針を簡単に外す事ができる釣針外し器具に関する。
【背景技術】
【０００２】
最近の魚釣りにおいて、餌の食い込みを良くする為に小さな釣針を用いる傾向にある。故に釣上げた魚が釣針を奥深く呑み込んでいる事が多い。
【０００３】
釣れる時間帯に段取り、手際良く短時間で釣れた魚を処理できるかによってその日の釣果が決まる。
【考案の開示】
【考案が解決しようとする課題】
【０００４】
上述した従来の釣針外し器具には、次のような問題があった。
【０００５】
第１に課題、釣上げた魚の口内に器具を挿入する際、先端部の形状が大きい又は変形の為、挿入しづらい。
【０００６】
第２の課題、釣上げた魚の口内に器具を挿入した際、釣針に器具が到達するまでにハリス、又は釣針が器具から外れ易い。
【０００７】
第３の課題、器具が釣針に到達した後、釣針とハリスを固定する際、挟んだり巻き付けたりした場合ハリスを傷つけてしまう。
【０００８】
従来の釣針外し器具は第４の課題、魚の口内にある釣針の位置や方向を確認しないと外す事が困難である。
【０００９】
従来の釣針外し器具は第５の課題、針外し機能だけの物が多く見られる。
【課題を解決するための手段】
【００１０】
上記第１の課題を解決する為に先端部を細くし魚の口内に挿入し易い形状にした。
【００１１】
上記第２の課題を解決する為にハリスが器具から外れない様に器具の先端を閉じた状態で口内に挿入する事ができる形状にした。
【００１２】
上記第３の課題を解決する為に簡単でハリスを傷付けない様に固定できる生ゴムグリップを装備した。
【００１３】
上記第４の課題を解決する為に器具の先端が釣針の方向に関係なく見えない場所でも外す位置まで到達できる形状にした。
【００１４】
上記第５の課題を解決する為に従来のラジオペンチの機能を残し、挟む、切断するという多目的に使用できるようにした。
【考案の効果】
【００１５】
釣上げた魚の小さな口内でハリスに沿って器具を進めるだけで簡単に釣針の外せる位置まで到達できる。
【００１６】
器具にハリスをセットしたら釣針がどの方向を向いていようと、どの位置に掛かっていようと関係なく釣針に到達するまで器具からハリスや釣針が外れる事が無い。
【００１７】
器具にある先端部円形孔、上部楕円孔、ハリス導入路のハリスの通過する部分に丸みを帯びた加工を施してあるのでハリスを痛める事が無い。
【００１８】
現在まで考案された釣針外し器具は、ハリスに傷を入れない様に如何にして固定するかが一番の課題であった。それをグリップに生ゴムを装備し、指で簡単に固定する事ができる。
【００１９】
生ゴムと指の圧力で針先の返しの部分の引っ掛かりを外すのに十分な力が得られる。又形状も簡単である為に故障や破損が無くなる。
【００２０】
実際の魚釣りで使用し小さな魚、夜釣り等の外す事が困難な状況でも簡単に釣針を外す事ができる。
【考案を実施するための最良の形態】
【００２１】
以下、本考案の実施例について図面を参照して説明する。
（実施例）
【００２２】
図１に示す様にハリス６を上部楕円孔２の横切り込みから挿入しハリス導入路３から先端円形孔１に通し挟持部を閉じて図2の様にセットする。
【００２３】
図２の状態からハリス６に沿って魚８の口内に器具を進めると容易に図３の様に釣針７の軸部分が先端円形孔１に収まる。
【００２４】
ハリス６を器具にセットしたら釣針７に到達するまで釣針７とハリス６は外れる事が無い。
【００２５】
器具が図３の様に釣針に到達した後、ハリス６を上部生ゴムグリップに装備した生ゴムと指の圧力で固定し魚８の口内の奥へ少し押し込むと釣針７は簡単に外す事ができる。
【図面の簡単な説明】
【００２６】
【図１】本考案に係る釣針外し器具にハリスを通した時の実施例を示す全形の横視図及び斜視図。
【図２】本考案に係る釣針外し器具をセットした時の実施例を示す横視図。
【図３】本考案に係る釣針外し器具が釣針に到達した実施例を示す横視図。
【図４】本考案に係る釣針外し器具とハリスをセットした時の先端部円形孔の斜視図。
【図５】本考案に係る釣針外し器具とハリスをセットする前のはさみ部分を開いた状態を示す先端部円形孔の斜視図。
【図６】本考案に係る釣針外し器具とハリスをセットする前のはさみ部分を開いた状態を示す上部楕円孔の斜視図。
【符号の説明】
【００２７】
１  先端部円形孔
２  上部楕円孔
３  ハリス導入路
４  上部生ゴムグリップ
５  下部生ゴムグリップ
６  ハリス
７  釣針
８  魚
【図１】
0003112639.tif 000003
【図２】
0003112639.tif 000004
【図３】
0003112639.tif 000005
【図４】
0003112639.tif 000006
【図５】
0003112639.tif 000007
【図６】
0003112639.tif 000008
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
全形は操作するグリップの反対側に尖った先端を備えた１対の操作体が中間部で交差し、交差部分を軸としてグリップの開閉により狭持部が開閉する釣針外し器具。
【請求項２】
狭持部の先端に閉じた状態でハリスと共に釣針の軸部分が収まる円形孔を持ち、狭持部の中間にはハリスを挿入する為に横から切り込みを入れた楕円孔がある請求項１記載の釣針外し器具。
【請求項３】
円形孔から楕円孔にハリスを通す為の円筒形の導入路を持ち、円形孔及び導入路は狭持部を開いた時に上下共に半円の形状になる請求項２記載の釣針外し器具。
【請求項４】
グリップにはハリスを固定する為の生ゴムのグリップを装備する請求項１ないし３のいずれかに記載の釣針外し器具。
(57)【要約】【課題】      常に携帯していないと困るメガネ（老眼鏡など）を、メガネケースから容易に片手で出し入れできるメガネケースを提供することを目的とする。【解決手段】  このメガネケース１は、従来のメガネケースの縦と横の長さを入れ替え、短い辺の上に開口部を持つ。およそ上部半分の半面をふたとし、そのふたを外に向かって倒すことによって開閉する。又、開閉を安易にするために凹部９と幾つかの細い溝１０を付ける。そして、背面にクリップ５を付けることによってバッグの中のポケット等に掛けることができメガネケース１を縦にした状態で定位置に固定できる。更に、クリップ５はクリップを下にしてメガネケース１を机上に置いたとき、本体と机の間に傾斜を作ることができ、片手でメガネケースの開閉が安易になる。【選択図】  図１
0003112633.tif 000002
【実用新案登録請求の範囲】
【請求項１】
本考案は、従来のメガネケースの縦と横の長さを入れ替え、短い辺の上に開口部をもち、片面のおよそ上部半分にあるふたを外に向かって倒すことによって開閉し、上部の親指があたるところに凹を付け、中指と薬指が当たるところには幾つかの細い溝を掘り、背面にクリップを取り付けたメガネケース。
【考案の詳細な説明】
【技術分野】
【０００１】  本考案はメガネケースを片手で開閉することによって、少ない動作でメガネを出し入れするためのメガネケースの開口部に関する部分である。
【背景技術】
【０００２】  従来の多くのメガネケースは、メガネを出し入れする時は、両手を使い、本を開くように開閉する。
【考案の開示】
【考案が解決しようとする課題】
【０００３】  老眼鏡は常にかけている物ではないが、常に所持していないと困るものである。まず老眼鏡をかけるためにバッグからメガネケースを探し出すことから始まる。そして、メガネケースを両手で開いて老眼鏡を取り出し、メガネケースを両手で閉じてメガネケースをバッグにしまう。また老眼鏡をしまうときも同じ動作を行う。このようにメガネを使うたびに、メガネケースを探し出し、両手を必要とする手間のかかる開閉作業を行うことになる。
【課題を解決するための手段】
【０００４】  本考案のメガネケースは、従来のメガネケースの縦と横の長さを入れ替え短い辺の上に開口部を作り、片手でふたを外に向かって倒すことによって開閉する。その開閉は、上部の親指があたるところに幾つかの細い溝を掘った凹を付け、中指と薬指が当たるところには幾つかの細い溝を掘ることによって容易に出来る。【０００５】  又、メガネケースをバッグの中で立てて位置を止めるために背面に少し幅の広いクリップを取り付けバッグの中のポケットに掛けることによって安定させる。
【考案の効果】
【０００６】  以上の手段をとることによって、本考案のメガネケースは、バッグからメガネケースを取り出すことなく、片手でメガネを出し入れすることができ、ベルトやポケットに付けても片手でメガネの出し入れができる。【０００７】  更にクリップを下にして机の上にメガネケースを置いたときも、机とメガネケースの間に傾斜を作ることができ、片手でのメガネケースの開閉が安易になる。
【考案を実施するための最良の形態】
【０００８】  本考案の実施の形態例を図面により説明する。
メガネケース１の右上部本体３を開閉させるために、右上部本体３と右下部本体４の間に蝶つがい６を設ける。左右の本体は止具７と８によって閉じられる。【０００９】  メガネケース１を開閉させるには右上部本体３の上面に親指、右本体下部４に中指と薬指を当てる。親指の当たる上面には細い溝を掘った凹部９（図４参照）を付けて親指の位置を示すと共に開閉時の力を入れやすくする。中指と薬指があたる右下部本体４の蝶つがい６の下には目で確認することなく手で触れることで指の位置が分かるように幾つかの細い溝１０を掘る。【００１０】  メガネケース１の左本体２に、メガネケースが最も安定する位置にクリップ５を取り付ける。クリップ５は、メガネケース１の左本体２の幅に対しておよそ半分の幅を占めるものを取り付けることによってポケット等に掛けたとき、机上等に置いたときの安定性を持たせる。
【図面の簡単な説明】
【００１１】
【図１】  本考案のメガネケースの実施例を示す側面図である。
【図２】  本メガネケースの正面図である。
【図３】  本メガネケースの背面図である。
【図４】  本メガネケースの開口部を上から見た図である。
【図５】  本メガネケースを横にしたときの側面図である。
【図６】  従来のメガネケース
【符号の説明】
【００１２】１    メガネケース
２    左本体
３    右上部本体
４    右下部本体
５    クリップ
６    蝶つがい
７    止具▲１▼
８    止具▲２▼
９    凹部
１０  幾つかの細い溝
【図１】
0003112633.tif 000003
【図２】
0003112633.tif 000004
【図３】
0003112633.tif 000005
【図４】
0003112633.tif 000006
【図５】
0003112633.tif 000007
【図６】
0003112633.tif 000008
【手続補正書】
【提出日】平成17年5月12日(2005.5.12)
【手続補正１】
【補正対象書類名】実用新案登録請求の範囲
【補正対象項目名】請求項１
【補正方法】変更
【補正の内容】
【請求項１】
本考案は、メガネケースの縦と横の長さを入れ替え、短い辺の上に開口部をもち、片面のおよそ上部半分にあるふたを外に向かって倒すことによって開閉し、上部の親指があたるところに凹を付け、中指と薬指が当たるところには幾つかの細い溝を掘り、背面にクリップを取り付けたメガネケース。
(57)【要約】【課題】植物鉢植え容器に添え木を必要とする植物を植えた場合、土だけでは、添え木の保持力が弱く倒れるため、添え木を倒れなくすることが目的である。【解決手段】植物鉢植え容器の底面より、堅固に添え木保持部分のある、鉢植え容器を作り、市販の添え木を簡単に差し込むことにより、添え木を倒れなくし、それに縛り付けた植物が倒れなくなり、添え木を必要とする植物が、容易に育てられる。【選択図】  図２
0003112637.tif 000002
【実用新案登録請求の範囲】
【請求項１】
従来の植物用鉢植え容器に、添え木を挿入できる様に、鉢植え容器底部と、一体整形した添え木保持部を有する、鉢植え容器。
円筒状の（２、３）添え木保持部分を有し、鉢植え容器底面に広がる保持強化部分（４）を設け、保持部底部分（５）に添え木挿入止部を設け、鉢植え容器底面と一体化した保持部分を有する植物用鉢植え容器。
【請求項２】
添え木保持部分を保護する（８）保護キャプ。
添え木挿入孔に脱着でる構造とし、添え木を装着していない時、土やゴミの進入を防止することを目的とする。
【考案の詳細な説明】
【技術分野】
【０００１】  本考案は、植物を植える鉢植え容器に関するものであり、詳しくは、添え木を必要とする植物を、植えた場合に効力を発揮するものである。
【背景技術】
【０００２】  従来の鉢植え容器は、添え木を必要とする植物を植えた場合、容器内の土のみで、添え木を保持していたが、保持力が弱く添え木ごと植物が、倒れることがあった。
【考案の開示】
【考案が解決しようとする課題】
【０００３】  深さの浅い鉢植え容器に、添え木を必要とする植物、又は、ツル状の植物を植える場合容器内の土だけで、添え木を保持することが困難であり、植物を、添え木に縛り付けても、添え木ごと倒れることがある、これを解決することが目的である。
【課題を解決するするための手段】
【０００４】  本考案は、鉢植え容器及び深さの浅い容器に、添え木を必要とする植物を植えた場合、添え木を、倒れなくするためには、鉢植え容器底部と一体整形した、添え木保持部を有す鉢植え容器を作ることである。又、添え木を容易に脱着できる構造でなければならない。
【考案の効果】
【０００５】  本考案は、上述の条件を満たしていれば、添木を必要とする植物を植えた場合、容易に鉢植え容器にて、添え木を必要とする植物及び、ツル状の植物を育てることができる。
【考案の実施するための最良の形態】
【０００６】  鉢植え容器に土を入れるときは、添え木棒は邪魔になるので、添え木保持部の添え木挿孔には、保護キャップをしておき、植物を植え終えてから、又は、ある程度植物が、大きくなり、添え木を必要となったとき、保護キャップを取り外し、市販の添え木を装着する、その後、植物の成長に合わせ添木に縛り付け育てることができる。
【実施例】
【０００７】  考案の実施の形態について図面を参照して説明する。
図１〜図４において、保持部２は、容器底部分と一体整形するものとする。
図１は、容器を横方向に置き、上から見た図面である、一点鎖線Ａ、Ｂは、容器の横方向の中心線を示す。一点鎖線Ｅ、Ｆは、Ａ、Ｂの中心よりすこし離れた、位置に在る、添え木保持部分の中心線を示す。図２は、図１に於いて、一点鎖線Ｅ、Ｆの断面図である。
２は、添え木保持部分を示し、円筒状の形を有し、３の添え木挿入孔及び、６の添え木挿入筒の大きさは、市販の添え木の挿入できる大きさとする。
４の保持強化部分は、四方に設け鉢植え容器底面に広がり、底面近くで一段と広がり、添え木保持部分を強化し、安定を図る。図２に於いて、５の添え木挿入止部は、鉢植え容器底面に在り、添え木を挿入した場合、貫通しないよう内側に円状の鍔を有する。【０００８】  図に於いて、８の保護キャップは、円形の鍔付キャップで、３の添え木孔に容易に、装着、取外しができる物とする。保護キャップの目的は、鉢植え容器に土を入れる場合、又、添え木を必要としない場合、土やごみの進入を防止するものである。
【図面の簡単な説明】
【０００９】
【図１】考案した鉢植え容器を上から見た図である。
【図２】図１において、一点鎖線Ｅ〜Ｆを結ぶ断面図である。
【図３】図１において、一点鎖線Ａ〜Ｂを結ぶ断面図である。
【図４】図１において、一点鎖線Ｃ〜Ｄを結ぶ断面図である。
【図５】添え木を装着した状態の外観図である。
【符号の説明】
【００１０】１  鉢植え容器
２  添え木保持部分
３  添え木挿入孔
４  保持強化部分
５  添え木挿入止部
６  添え木挿入筒
７  鉢植え容器底面
８  保護キャップ
９  添え木棒
Ａ、Ｂ、Ｃ、Ｄ、Ｅ、Ｆ  切断面を示す符号
【図１】
0003112637.tif 000003
【図２】
0003112637.tif 000004
【図３】
0003112637.tif 000005
【図４】
0003112637.tif 000006
【図５】
0003112637.tif 000007
【手続補正書】
【提出日】平成17年5月9日(2005.5.9)
【手続補正１】
【補正対象書類名】実用新案登録請求の範囲
【補正対象項目名】全文
【補正方法】変更
【補正の内容】
【実用新案登録請求の範囲】
【請求項１】
植物用鉢植え容器に、添え木を装着できる様に、鉢植え容器底部と、一体整形した円筒状の添え木保持部分を設け、鉢植え容器底面に広がる保持強化部を有し、添え木が、挿入筒底面を貫通しないように、添え木挿入止めを有する、添え木が装着できる構造にした、植物用鉢植え容器。
【請求項２】
請求項１に於いて、添え木保持部分に、添え木を装着していない場合、挿入筒の内部に、土やゴミの進入を防止する事を目的にした、挿入孔に脱着できる円形鍔付き構造の形をした、保護キャップ。
【手続補正書】
【提出日】平成17年5月10日(2005.5.10)
【手続補正２】
【補正対象書類名】実用新案登録請求の範囲
【補正対象項目名】全文
【補正方法】変更
【補正の内容】
【実用新案登録請求の範囲】
【請求項１】
植物用鉢植え容器に、添え木を装着できる様に、鉢植え容器底部と、一体整形した円筒状の添え木保持部分を設け、鉢植え容器底面に広がる保持強化部を有し、添え木が、挿入筒底面を貫通しないように、添え木挿入止めを有する、添え木が装着できる構造にした、植物用鉢植え容器。
【請求項２】
請求項１に於いて、添え木保持部分に、添え木を装着していない場合、挿入筒の内部に、土やゴミの進入を防止する事を目的にした、挿入孔に脱着できる円形鍔付き構造の形をした、保護キャップ。
(57)【要約】      （修正有）【課題】従来の自動車の計器文字盤は、運転者の視力、視認力に関係なく、画一デザインによる工業製品である。文字盤の地色と数字の色の組み合わせによる、視認性の問題は個人差がある。しかしながら、計器を数種類も設定して選んで搭載するほどコストはかけず、車を購入する際に選ぶ事は出来ない。【解決手段】本考案は係る従来の不具合に着目してなされた物で、自動車の計器文字盤において従来の文字盤の上に、運転者が見易いデザインの組み合わせによるカバーを製作し被せる事により、より安全に個人対応の計器が低コストで製作できる。【選択図】図１
0003112636.tif 000002
【実用新案登録請求の範囲】
【請求項１】
自動車の計器文字盤上に、運転者が見易い、色、デザインの組み合わせによるカバーを被せて、個人の視認性を考慮した計器に変更できる自動車計器文字盤カバー。
【考案の詳細な説明】
【技術分野】
【０００１】本考案は、例えば自動車車室内の運転席前方に設備されている表示装置にあって、特に表示装置における文字盤の見易さを向上させることが出来る表示形態をなした表示装置に関するものである。
【背景技術】
【０００２】自動車用の計器に使用されている一般的な表示装置の文字盤は、図１で示すように予め設定された色、デザインを利用するほか手段がない。【０００３】地色が黒で文字が白、地色が白で文字が黒など、組み合わせは車種によって違うが、自分で変えることは出来ない設定になっている。
【考案の開示】
【考案が解決しようとする課題】
【０００４】ところが、人間はそれぞれ人によって見やすい色の組み合わせは違う。例えば、黒地の文字盤に白文字の計器を使用していているが、日中はサングラスを使用したほうが運転しやすい場合に、黒地の文字盤に白文字では見難い場合がある。【０００５】本考案はかかる従来の不具合に着目してなされたもので、文字盤の表示形態を、他の色、デザインで印刷されてものをカバーのように被せる事により、運転者の都合によって見やすい表示計に簡易に変えられることを目的とする。
【考案が解決するために手段】
【０００６】上記目的を達成する為に、本考案請求項１では、計器針など他の装置に干渉しないフィルムや紙などを被せる事により、簡易に見やすいデザインに変更できることを特徴としている。
【考案の効果】
【０００７】以上のように本考案の表示カバーによれば、運転者の都合に合わせてデザインを変える事ができ、これによって、瞬読性及び判読性を高めることができ、安全運転に効果を発揮する。
【考案を実施するための最良の形態】
【０００８】運転者にあった色の組み合わせによる図２の文字盤カバーを、図１の既存計器文字盤の上に被せる。
【実施例】
【０００９】既存の文字盤の上にフィルムまたはシールで作成されたカバーを被せて、文字盤自体を止めているネジで共締めして装着する。
【図面の簡単な説明】
【００１０】
【図１】従来の車両用表示装置を示した正面説明図
【図２】本考案計器文字盤カバー
【図１】
0003112636.tif 000003
【図２】
0003112636.tif 000004
(57)【要約】【課題】従来丸缶に使われている弓形のつる（取手）を角缶に装着すると缶を積み上げる時缶と缶の隙間を明ける必要があり空間の無駄が生じる。【解決手段】つる（取手）を角形にすることにより、つる（取手）を畳めば缶と缶の隙間を明けることなく角缶を効率よく積み上げることが出来る。【選択図】図１
0003112623.tif 000002
【実用新案登録請求の範囲】
【請求項１】
角形のつる（取手）を装着した角缶。
【考案の詳細な説明】
【技術分野】
【０００１】金属製角缶に関して持ち運びに便利なように、つる（取手）をつけた角缶に関する。
【背景技術】
【０００２】金属製丸缶には従来持ち運びに便利なように「弓形のつる」を装着したものはある。角缶では「つる」をつけた缶は存在しない。図３の如き手環を天蓋の中央に押さえ金具をスポット溶接して固定したものはあるが手環を持って缶を持ち上げると天板の真ん中が膨らみ強度的に不安がある。又蓋が天板の真ん中にあるものには適用出来ない。
【考案の開示】
【考案が解決しようとする課題】
【０００３】従来丸缶に使われている弓形のつるを角缶に装着すると、缶を積み上げる時缶と缶との隙間を明ける必要があり空間の無駄が生じる。
【課題を解決するための手段】
【０００４】つるを角形にすることにより図２の如くつるを畳めば缶と缶の隙間を明けることなく角缶を効率よく積み上げることが出来る。
角缶の側面（両側）の上部に「耳」を溶接又はカシメて固定する。つるは針金を図２の如く角形に曲げ、両端は「耳」の穴に入れられるよう先を曲げておく。之を耳の穴に挿入する。
図１のグリップを針金の成型時予め入れておくと持つ時手が痛くならない。
尚、必要があれば、図２の下のコの字型の「蓋止め金」（先が内側に曲がっている）を耳の穴に挿入して蓋が開かないようにすることも出来る。
【考案の効果】
【０００５】缶を持ち上げた時、耳で支えるので天板には力が掛からず、天板に図２の如き大きな角形押し蓋を設けることも出来る。即ち角缶の蓋を大きく開けられるので内容物の出し入れに便利である。
又、スペースの無駄なく角缶を積み上げることが出来るので単位面積当りの積載量が増やせる。
【実施例】
【０００６】角缶五ガロン缶の側面２面の上部所定位置に耳をスポット溶接し、直径３．８ｍｍφの針金を図１のように曲げて得た「角形つる」の両端を耳に挿入したものはＪＩＳ  Ｚ  １６２０の「取手及び取手取付け部強度試験」に準じて垂直方向に６００Ｎの荷重で引張る強度試験に合格した。
【図面の簡単な説明】
【０００７】
【図１】本考案の角形つるを装着した角缶の説明図
【図２】本考案の角形つるを畳んだ時の説明図
【図３】従来品の手環付角缶の説明図
【符号の説明】
【０００８】１・・・角缶
２・・・耳
３・・・つる（取手）
４・・・グリップ
５・・・大きな角形押し蓋
６・・・蓋止め金
７・・・手環
【図１】
0003112623.tif 000003
【図２】
0003112623.tif 000004
【図３】
0003112623.tif 000005
【手続補正書】
【提出日】平成17年4月28日(2005.4.28)
【手続補正１】
【補正対象書類名】実用新案登録請求の範囲
【補正対象項目名】全文
【補正方法】変更
【補正の内容】
【実用新案登録請求の範囲】
【請求項１】
角形のつるを装着した角缶。
【手続補正２】
【補正対象書類名】明細書
【補正対象項目名】全文
【補正方法】変更
【補正の内容】
【考案の詳細な説明】
【技術分野】
【０００１】金属製角缶に関して持ち運びに便利なように、つるをつけた角缶に関する。
【背景技術】
【０００２】金属製丸缶には従来持ち運びに便利なように弓形のつるを装着したものはある。角缶ではつるをつけた缶は存在しない。図３の如き手環を天蓋の中央に押さえ金具をスポット溶接して固定したものはあるが手環を持って缶を持ち上げると天板の真ん中が膨らみ強度的に不安がある。又蓋が天板の真ん中にあるものには適用出来ない。
【考案の開示】
【考案が解決しようとする課題】
【０００３】従来丸缶に使われている弓形のつるを角缶に装着すると、缶を積み上げる時缶と缶との隙間を明ける必要があり空間の無駄が生じる。
【課題を解決するための手段】
【０００４】つるを角形にすることにより図２の如くつるを畳めば缶と缶の隙間を明けることなく角缶を効率よく積み上げることが出来る。角缶の側面２面の上部に耳を溶接又はカシメて固定する。つるは針金を図２の如く角形に曲げ、両端は耳の穴に入れられるよう先を曲げておく。之を耳の穴に挿入する。図１のグリップを針金の成型時予め入れておくと持つ時手が痛くならない。尚、必要があれば、図２の下のコの字型の蓋止め金具を耳の穴に挿入して蓋が開かないようにすることも出来る。
【考案の効果】
【０００５】缶を持ち上げた時、耳で支えるので天板には力が掛からず、天板に図２の如き大きな角形押し蓋を設けることも出来る。即ち角缶の蓋を大きく開けられるので内容物の出し入れに便利である。又、スペースの無駄なく角缶を積み上げることが出来るので単位面積当りの積載量が増やせる。
【実施例】
【０００６】角缶五ガロン缶の側面２面の上部所定位置に耳をスポット溶接し、直径３．８ｍｍφの針金を図１のように曲げて得た角形つるの両端を耳に挿入したものはＪＩＳ  Ｚ  １６２０の「取手及び取手取付け部強度試験」に準じて垂直方向に６００Ｎの荷重で引張る強度試験に合格した。
【図面の簡単な説明】
【０００７】
【図１】本考案の角形つるを装着した角缶の説明図
【図２】本考案の角形つるを畳んだ時の説明図
【図３】従来品の手環付角缶の説明図
【符号の説明】
【０００８】１・・・角缶２・・・耳３・・・つる４・・・グリップ５・・・大きな角形押し蓋６・・・蓋止め金具７・・・手環
(57)【要約】      （修正有）【課題】建屋と基礎の間に設置することで、ゴムが媒体として構成されているので、ゴムの性質の弾性力で揺れが発生しても緩和される揺れ緩和装置を提供する。【解決手段】ブラケット２０のピン２０１部はゴム板３０を貫通して固定されているから、ピン２０１は穴１０５の中心にあり、揺れが発生してもピン２０１は、媒体であるゴムの弾性力で、常に中心に戻るように力が作用することで、建屋の揺れが緩和され、ゴムが劣化しても簡単に取替えができ、安価にできる利点がある。【選択図】図３
0003112626.tif 000002
【実用新案登録請求の範囲】
【請求項１】
減災の一環として、材質はステンレスが好ましく鉄及び硬質樹脂でもよく、ブラケット１０のピン１０１、１０２、１０３及び１０４部の先端を、球状にした４本の内側に、円盤状のゴム板３０をピン２０１が押入できる孔３０１を中心にもうけて嵌め込み、また、ゴム板３０の直径より少し小さい孔１０５をもうけ、ブラケット２０のピン２０１部が貫通して固定することで、揺れが発生しても、ゴムを媒体として構成されているので、揺れが弾性力で、緩和されることを特徴とする揺れ緩和装置。
【考案の詳細な説明】
【技術分野】
【０００１】  本考案は、建屋の揺れを緩和するための揺れ緩和装置に関する。
【背景技術】
【０００２】  家屋等の建設において、現状は縦柱と横柱の接続部に補強金具が取付けられているのが主流である。
【考案の開示】
【考案が解決しようとする課題】
【０００３】  現状の建屋は、基礎と建屋が固定されており、揺れが発生すると建屋にそのまま揺れが伝わるため被害が大きくなる。
【課題を解決するための手段】
【０００４】  本考案は、上記課題を達成するために、図示するように建屋と基礎の間に揺れ緩和装置を設置することで、ゴムが媒体として構成されているので、ゴムの性質の弾性力で揺れが発生しても緩和される揺れ緩和装置
【考案の効果】
【０００５】  本考案によれば、揺れ緩和装置を設置することで、ブラケット２０のピン２０１部はゴム板３０を貫通して固定されているから、ピン２０１は穴１０５の中心にあり、揺れが発生してもピン２０１は、媒体であるゴムの弾性力で、常に中心に戻るように力が作用することで、建屋の揺れが緩和され、ゴムが劣化しても簡単に取替えができ、安価にできる利点がある。
【考案を実施するための最良の形態】
【０００６】  建屋と基礎の間の角及び中間部に、揺れ緩和装置を設置することで、ブラケット１０、２０はゴムを媒体として構成されているから、揺れが発生してもゴムの弾性力で緩和される。
【実施例】
【０００７】  本考案の実施例図２に示されているように、揺れ緩和装置の設置で、建屋と基礎が固定されていないために揺れが緩和される。
【産業上の利用可能性】
【０００８】  本考案の、揺れ緩和装置は部品数が少なく構成されているから、生産が安価で、また、設置も簡単である。
【図面の簡単な説明】
【０００９】
【図１】本考案の揺れ緩和装置の構成を示した部品図である。
【図２】揺れ緩和装置の実施を示した正面図である。
【図３】揺れ緩和装置を示した側面図である。
【符号の説明】
【０００１０】１０    ブラケット
１０１  ピン
１０２  ピン
１０３  ピン
１０４  ピン
１０５  孔
１０６  ナット
１０７  ブラケット取り付け孔
２０    ブラケット
２０１  ピン
２０２  円板
２０３  スプリングワッシャ−
２０４  ナット
２０５  ブラケット取り付け孔
３０    ゴム板
３０１  孔
４０    建屋の基礎
５０    建屋の柱
【図１】
0003112626.tif 000003
【図２】
0003112626.tif 000004
【図３】
0003112626.tif 000005
【手続補正書】
【提出日】平成17年4月25日(2005.4.25)
【手続補正１】
【補正対象書類名】明細書
【補正対象項目名】０００４
【補正方法】変更
【補正の内容】
【０００４】本考案は、上記課題を達成するために、ブラケット１０の中心にもうけた孔１０５の直径より少し大きく円盤状で、ブラケット２０の中心に取り付けたピン２０１が、挿入可能な貫通した孔３０１を中心に有したゴム板３０を、ブラケット１０の中心の上下部に嵌め込みできるように、先端を丸くした４本のピン１０１、１０２、１０３及び１０４を取り付け、ゴム板３０を上下に嵌め込みピン２０１を挿入し固定することで、ブラケット２０を支える構造になり、ゴムを媒体として構成されているので、ゴムの弾性力で揺れが発生しても建屋の揺れが緩和される。
【手続補正２】
【補正対象書類名】明細書
【補正対象項目名】０００５
【補正方法】変更
【補正の内容】
【０００５】本考案によれば、建屋の基礎４０と建屋の柱５０の間に隙間をもうけて、角及び中間に揺れ緩和装置を設置することで、揺れが発生すると、ゴム板３０を上下に嵌め込んだブラケット１０の４本のピン１０１、１０２、１０３及び１０４は、ゴム板３０を貫通したピン２０１を有したブラケット２０を支えているから、ゴムの弾性力で、ピン２０１は孔１０５内で元の位置に戻る動作を繰り返えすことで、建屋の揺れが緩和される。又ゴムが劣化しても簡単に取り替えができ、安価にできる利点がある。
【手続補正３】
【補正対象書類名】明細書
【補正対象項目名】０００６
【補正方法】変更
【補正の内容】
【０００６】建屋の基礎４０に、ブラケット取り付け孔１０７を有したブラケット１０を取り付け、４本のピン１０１、１０２、１０３及び１０４に、ゴム板３０を上下に嵌め込み、ブラケット取り付け孔２０５を有したブラケット２０のピン２０１が、ゴム板３０を貫通して、円板２０２とスプリングワッシヤ−２０３を嵌め込み、ナット２０４で固定すると、４本のピン１０１、１０２、１０３及び１０４で、取り付け孔２０５を有したブラケット２０が支えられ、建屋の柱５０に取り付けることで、建屋の揺れが緩和される。
【手続補正書】
【提出日】平成17年4月25日(2005.4.25)
【手続補正１】
【補正対象書類名】実用新案登録請求の範囲
【補正対象項目名】請求項１
【補正方法】変更
【補正の内容】
【請求項１】
震災の一環として、材質はステンレスが好ましく鉄及び硬質樹脂でもよく、ブラケット１０の中心にピン２０１の直径の４倍の孔１０５をもうけ、その直径より少し大きく円盤状で、ブラケット２０の中心に取り付けたピン２０１が、挿入可能な貫通した孔３０１を中心に有したゴム板３０を、ブラケット１０の中心の上下部に嵌め込みできるように、先端を丸くした４本のピンを取り付け、ゴム板３０を上下に嵌め込みピン２０１を挿入して固定することで、ブラケット２０が支えられ、揺れが発生しても、ゴムを媒体として構成されているので、揺れが弾性力で、緩和されることを特徴とする揺れ緩和装置。
(57)【要約】      （修正有）【課題】従来のバッティング練習方法における問題点や、練習の持続性や反復性の限界を解消する為に、新しい練習方法の提案と共に実戦に生かせる安全で効率的な練習の為に適したサイズの防球ネット設備を提供する。【解決手段】本考案は、前記問題点を解決する為に、Ｌ字型投手練習用防球ネットを従来に無いサイズに小型化し、効率的な練習に適した防球ネット設備である。【選択図】図２
0003112628.tif 000002
【実用新案登録請求の範囲】
【請求項１】
φ３３ｍｍのＬ型鉄フレームに同サイズ同型袋状の太さ４４０Ｔ／９０本網目幅３７．５ｍｍのポリエチレン製二重ネットを被せ、フレームの左右下端部に、それぞれφ３３ｍｍ長さ６０ｃｍの鉄パイプを足としてフレームに対して垂直に固定した防球用ネット設備であり、フレームサイズは、使用目的に適したサイズで、外側Ｌ字部分を１２０ｃｍ×１２０ｃｍとし、内側Ｌ字部分を３０ｃｍ×５０ｃｍとしたのが、特徴であり、形状は従来の投手用防球ネットに酷似しているが、使用目的が異なる為、従来品には無い小型サイズである事を特徴とする防球用ネット設備。（（図１）、（図２）参照）
【考案の詳細な説明】
【技術分野】
【０００１】本考案は、従来のバッティング及びフリーバッティング練習方法の問題点の改善を目的とした、打者正面近距離からの配球を可能にする為にサイズを小型化した防球ネットに関するものである。
【背景技術】
【０００２】従来の防球ネットは、投手練習用のＬ字型や単に防球目的の方形のもので、サイズは２００ｃｍ×２００ｃｍ程度と大型である。
【考案の開示】
【考案が解決しようとする課題】
【０００３】従来、ティーバッティング練習は、ティーの上に固定された球を打つ、あるいは打者の至近斜め方向から投げ手が配球した球を打つ方法が一般的であったが、実戦での球筋や球の速さとは異なった条件での練習である為に効果があまり期待できなかった。【０００４】また、マウンドから投げられた球を打ち返すフリーバッティング練習は、投げ手に制球力が求められる為、限られた投げ手に負担がかかり、練習の持続性や反復性に限界があった。【０００５】そこで、これらバッティング練習を実戦に生かせる安全で効率的なものにする為に適したサイズの防球ネットを提供しようとするものである。
【課題を解決するための手段】
【０００６】本考案は、前記問題点を解決する為に、従来のＬ字型投手練習用防球ネットを小型化したものである。
【考案の効果】
【０００７】前記考案の防球ネットを打者の正面数メートルに接近した位置に設置し、投げ手は、しゃがんだ姿勢で配球し、直ちに防球ネットに身を隠す事が出来（本考案防球ネットは、成人男性でも、しゃがんですっぽり隠れる事が可能なサイズＬ字型外枠長辺部分が１２０ｃｍ×１２０ｃｍにした為）安全である。【０００８】打者からの距離が近い為、制球力や力を問わず誰でも交代で投げ手になることが出来、特定の投手に負担がかかることが無くなる。【０００９】さらに打者は実戦投球に近い配球を繰り返し打つことができる。【００１０】従来の防球ネットを前記練習方法で使用すると、サイズが２００ｃｍ×２００ｃｍ程度と大きい為に打球の多くは打者に向かい跳ね返ってしまい、危険性が高いが、本考案防球ネットはＬ字型外枠長辺部分を１２０ｃｍ×１２０ｃｍにした為、打球の多くは本考案防球ネットの上部を越えて飛んでゆく事が考えられ、安全かつ効率的なバッティング練習が可能となる。
【考案を実施するための最良の形態】
【００１１】φ３３ｍｍ、Ｌ字型外枠長辺１２０ｃｍ×１２０ｃｍ、短辺３０ｃｍ×５０ｃｍのＬ型鉄パイプフレームに左右下端部に、それぞれφ３３ｍｍ長さ６０ｃｍの鉄パイプを足としてフレームに対して垂直にＬ型プレート金具２個を用い溶接固定し、前記フレー−ムサイズのＬ型袋状太さ４４０Ｔ／９０本、網目幅３７．５ｍｍのポリエチレン製二重ネットを被せる。（（図１）、（図２）参照）
【図面の簡単な説明】
【図１】正面図
【図２】全体斜視図
【図３】フレームと脚部のＬ字金具を用いた接合部分側面図
【図１】
0003112628.tif 000003
【図２】
0003112628.tif 000004
【図３】
0003112628.tif 000005
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
φ３３ｍｍのＬ型鉄フレームに同サイズ同型袋状の太さ４４０Ｔ／９０本網目幅３７．５ｍｍのポリエチレン製二重ネットを被せ、フレームの左右下端部に、それぞれφ３３ｍｍ長さ６０ｃｍの鉄パイプを足としてフレームに対して垂直に固定した防球用ネット設備であり、フレームサイズは、使用目的に適したサイズで、外側Ｌ字部分を１２０ｃｍ×１２０ｃｍとし、内側Ｌ字部分を３０ｃｍ×５０ｃｍとしたことを特徴とする防球用ネット設備。
(57)【要約】      （修正有）【課題】靴内を温めて血行を促進し、且つ靴内の湿気、臭いを吸収する自家発熱型靴用中敷を提供する。      【解決手段】基材袋１は薄型の軟質袋で、形状は靴の中敷に成形される。その中に鉄粉２、活性炭３、吸水性ポリマー４、塩５、砂６、水７等の材料を入れ、発熱体を形成する。外袋は、ＰＥビニール袋で、基材袋を入れた後、加熱して封をし、基材袋が長時間外気に触れないようにする。使用時には、外袋を開け、基材袋を取り出し、軽く揺するか、揉むと、熱を発生する。それを靴の中に入れて履くと、足裏を温めて血液の循環を促進し、更に基材袋によって、靴内の湿気と臭いを吸収する。【選択図】図１
0003112622.tif 000002
【実用新案登録請求の範囲】
【請求項１】
靴の中に入れる中敷で、主に基材袋、外袋から構成された自家発熱型靴用中敷において、
薄型軟質袋で、足形形状で、靴の中敷として使用し、中には鉄粉、活性炭、給水性ポリマー、塩、砂、水等から構成される発熱体の基材袋と、
ＰＥビニール袋で、基材袋を入れた後、加熱して封をし、基材袋が長時間外気に触れないようにするもので、表面には字体を印刷して使用方法を伝える外袋から構成され、
使用時には、外袋を開け、基材袋を取り出し、軽く揺する、もしくは揉むと、即座に熱を発生するので、それを靴内に入れて中敷として使用し、足裏を暖めて血液の循環を促進し、他に基材袋によって靴内の湿気と臭いを吸収することを特徴とする自家発熱型靴用中敷。
【考案の詳細な説明】
【技術分野】
【０００１】
本考案は、自家発熱型靴用中敷に関するもので、手で揉むことによって発熱し、それを靴の中に入れて足裏を保温する。
【背景技術】
【０００２】
公知の靴の中敷は一般にゴム材で、且つ表面の間に一層の薄い布を入れて中敷にしている。しかし、汗を吸い取る効果が悪く、蒸れて臭くなる欠点がある。この他、冬は血液の循環が悪くなり、特に普段から血液の循環の悪く、手足が冷たくなる人や、年配の人は靴が保温効果を具えていないと、問題が発生しやすい。更に登山や高緯度に住む人は、温度が低いために靴に保温効果を具えていないと、足部の血液循環が悪くなりやすい。
【考案の開示】
【考案が解決しようとする課題】
【０００３】
解決しようとする問題点は、上述の問題を改善し、保温機能を具え、且つ活性炭によって靴の臭いを除去する靴の中敷を提供することが必要である。
【課題を解決するための手段】
【０００４】
本考案は、靴の中に入れる中敷で、基材袋は薄型の軟質袋で、形状は靴の中敷に合うもので、その中には鉄粉、活性炭、吸水性ポリマー、塩、砂、水等の材料から構成される発熱体袋である。外袋は、ＰＥビニール袋で、基材袋を入れた後、加熱して封をし、基材袋が長時間外気に触れないようにする。使用時には、外袋を開け、基材袋を取り出し、軽く揺するか、揉むと、熱を発生することを最も主要な特徴とする。
【考案の効果】
【０００５】
本考案の自家発熱型靴用中敷は、靴の中に入れて履くと、足裏を温めて血液の循環を促進し、別に基材袋によって、靴内の湿気と臭いを吸収するという利点がある。
【考案を実施するための最良の形態】
【０００６】
図１，２，３及び図４に示すとおり、本考案は発熱型保温靴の中敷で、靴に敷いて使用する。
基材袋一は薄型の軟質袋で、足形に成形される。この基材袋１内には、鉄粉２、活性炭３、吸水性ポリマー４、塩５、砂６、水７等の元素から構成され、発熱袋を形成する。
外袋８はＰＥビニール袋で、基材袋１を入れた後、加熱して封をし、基材袋１が外気に長時間触れないようにする。外袋表面には字体を印刷し、使用方法などを伝える。
【０００７】
使用時、外袋８を開けて基材袋１を取り出し、軽く揺するか、揉むとすぐに発熱するので、それを靴の中に入れて中敷とする。これによって、足裏の血液の循環が促進される。他に基材袋１によって、靴内の湿気や臭いを吸収する。
【図面の簡単な説明】
【０００８】
【図１】本考案の基材袋及び成分構成図である。
【図２】本考案の包装完成図である。
【図３】本考案を取り出した動作実施例指示図である。
【図４】本考案の使用実施例指示図である。
【符号の説明】
【０００９】
１        基材袋
２        鉄粉
３        活性炭
４        吸水性ポリマー
５        塩
６        砂
７        水
８        外袋
【図１】
0003112622.tif 000003
【図２】
0003112622.tif 000004
【図３】
0003112622.tif 000005
【図４】
0003112622.tif 000006
【手続補正書】
【提出日】平成17年3月22日(2005.3.22)
【手続補正１】
【補正対象書類名】実用新案登録請求の範囲
【補正対象項目名】請求項１
【補正方法】変更
【補正の内容】
【請求項１】
靴の中に入れる中敷で、主に基材袋から構成された自家発熱型靴用中敷において、
薄型軟質袋で、足形形状で、靴の中敷として使用し、中には鉄粉、活性炭、給水性ポリマー、塩、砂、水等から構成される発熱体の基材袋と、
ＰＥビニール袋で、基材袋を入れた後、加熱して封をし、基材袋が長時間外気に触れないようにするもので、表面には字体を印刷して使用方法を伝える外袋から構成され、
使用時には、外袋を開け、基材袋を取り出し、軽く揺する、もしくは揉むと、即座に熱を発生するので、それを靴内に入れて中敷として使用し、足裏を暖めて血液の循環を促進し、他に基材袋によって靴内の湿気と臭いを吸収することを特徴とする自家発熱型靴用中敷。
【手続補正書】
【提出日】平成17年5月25日(2005.5.25)
【手続補正１】
【補正対象書類名】実用新案登録請求の範囲
【補正対象項目名】全文
【補正方法】変更
【補正の内容】
【実用新案登録請求の範囲】
【請求項１】
靴の中に入れる中敷で、主に基材袋から構成された自家発熱型靴用中敷において、
薄型軟質袋で、足形形状で、靴の中敷として使用し、中には鉄粉、活性炭、給水性ポリマー、塩、砂、水等から構成される発熱体の基材袋で、使用時には、基材袋を軽く揺する、もしくは揉むと、即座に熱を発生するので、それを靴内に入れて中敷として使用し、足裏を暖めて血液の循環を促進し、他に基材袋によって靴内の湿気と臭いを吸収することを特徴とする自家発熱型靴用中敷。
(57)【要約】【課題】握り鮨を箸で挟んで、醤油を付けて食す際に、シャリからすしネタが剥がれないようにすしネタを押さえる補助的機能を有する食器を提供することを課題とする。【解決手段】握り鮨を箸で挟んで食するという一連の動作を行った場合、１の箸で握り鮨のシャリ部分を挟むと同時に２のホルダーによって１の箸に固定された３のアームがシャリの上に乗ったすしネタをその上から押さえつける働きをし、ここから醤油を付けるために箸を傾けたり、手を返す動作をしてもすしネタがずれたり剥がれたりしないように補助してくれるから、思うままに醤油を付けて口に運ぶ動作へとスムーズに移行できる。【選択図】図１
0003112629.tif 000002
【実用新案登録請求の範囲】
【請求項１】
握り鮨を箸で挟んで、醤油を付けて食す際に、シャリからすしネタが剥がれないように箸に装着、あるいは箸自体に付加してすしネタを押さえる補助的機能を有する食器。
【考案の詳細な説明】
【技術分野】
【０００１】
本考案は、握り鮨を箸で挟んで食す際の、箸に補助的な機能を付加した食器に関するものである。
【背景技術】
【０００２】
近年、回転寿司や寿司バー等が普及したことで、老若男女、人種を問わず握り鮨を食する機会は増え続けているが、箸を使って握り鮨を食す際に、通常はすしネタの乗ったシャリと称す米を握り固めた部位を箸で挟んだ状態で保持する方法が最も安定する。
【０００３】
しかし、上記状態のまま醤油を付けるためにネタを傾けたり、手を返す動作をすると、シャリの上のすしネタがずれたり、剥がれたりする現象が間々あり、煩わしさを感じることがある。
【０００４】
上記のような現象を嫌ったり、生活習慣等の理由から握り鮨を素手でつまんで食する人も多いが、そのような人々のなかにも、すしネタの多くは生ものであるだけに指先からの雑菌による食中毒の心配をする人や、指先が汚れたりすることを嫌う人、手に鮨独特のにおいが移ることを嫌う人等が存在することも確かである。
【０００５】
この現状の改善策として、箸を扱う上で不都合が起こらない適切な位置に、箸が握り鮨のシャリの部位を挟んだ状態でシャリに乗ったすしネタを上から押さえる腕のごとき補助的な部位を設けることにより、醤油を付けるためにネタを傾けたり、手を返す動作をする際に、シャリの上のすしネタがずれたり、剥がれたりする現象を防ぐことができる。
【考案の開示】
【考案が解決しようとする課題】
【０００６】
解決しようとする問題点は、既成の箸が持ち得ない，握り鮨を挟んだ状態でシャリの上に乗るすしネタがずれたり剥がれたりしないように、すしネタを押さえる手段を提供することである。
【課題を解決するための手段】
【０００７】
本考案は、上記すしネタを押さえる手段として、すしネタを上から押さえる腕のごとき部位を、箸の補助的機能として設置することを最も主要な特徴とする。
【考案の効果】
【０００８】
本考案は、上記の手段によって、箸を使うことに不慣れな人、箸を使って握り鮨を食することに煩わしさを感じる人、素手で握り鮨を食することに不満や嫌悪を感じる人に新しい選択肢を提供することができる。
【考案を実施するための最良の形態】
【０００９】
箸を扱う上で不都合が起こらない適切な位置に、箸が握り鮨のシャリの部位を挟んだ状態でシャリに乗ったすしネタを上から押さえる形状の腕のごとき部位を設置する目的で、箸に補助的部品を装着した形態、あるいは箸自体に付加した形態であること。
【実施例１】
【００１０】
図１は本考案の１実施例の構成図で、１は既成の箸、２は１に装着するためのホルダー、３はシャリに乗ったすしネタを上から押さえるアームである。
【００１１】
本考案の１実施例は上記の如き部位で構成され、握り鮨を箸で挟む動作を行うと、１で握り鮨のシャリ部分を挟むと同時に２によって１に固定された３の部位がシャリの上に乗ったすしネタをその上から押さえつける働きをし、ここから醤油を付けるために箸を傾けたり、手を返す動作をしてもすしネタがずれたり剥がれたりしないように補助してくれるから、思うままに醤油を付けて口に運ぶ動作へとスムーズに移行できる。
【産業上の利用可能性】
【００１２】
大衆的な回転寿司や寿司バーといった外食産業に限らず、子供のいる家庭や、外国人の家庭等で利用されることによって、食生活の演出を豊かすることに役立つ。
【図面の簡単な説明】
【００１３】
【図１】すしネタ押さえ補助食器の実施方法を示した構成図である。（実施例１）
【符号の説明】
【００１４】
１  箸
２  箸ホルダー
３  アーム
【図１】
0003112629.tif 000003
【手続補正書】
【提出日】平成17年6月7日(2005.6.7)
【手続補正１】
【補正対象書類名】実用新案登録請求の範囲
【補正対象項目名】全文
【補正方法】変更
【補正の内容】
【実用新案登録請求の範囲】
【請求項１】
握り鮨を箸で挟んで醤油を付けて食す際に、挟んだ箸の一方から突出したアームの如き部位がすしネタを上から押さえつける位置まで回り込むように伸びた形状を有することで、握り鮨を両側面の箸とすしネタ上部から押さえる該アームの如き部位との３点で保持することとなり、シャリの上に載るすしネタが、箸を持つ手を動かしたり傾けたりしても剥がれ落ちないように補助するもので、該アームの如き部位の基部は箸ホルダーとして機能するＣ字リングの形状を有し、箸の一方に装着することによってすしネタを押さえる箸に補助的機能を付加する食器、あるいは箸自体に該アームの如き部位を付加したすしネタを押さえることに特化した食器である。